(57)【要約】【課題】コストの上昇を抑えながら吹出口の設計自由度を大きくするとともに車体組付時の作業性を向上させるインストルメントパネルを提供する。【解決手段】インストルメントパネル１を構成しているダクト４は、インストルメントパネル本体２の内側に一端部４１を取付部３の近傍に配置してインストルメントパネル本体２の左右方向Ｘに延設されており、一端部４１において取付部３の後側には蛇腹部６が形成されている。この蛇腹部６は、左方向へ伸ばされることでダクト４の一端部４１が左方向に屈曲して取付部３の手前で一端部４１の先端４４が吹出口２２に向かって位置する取付部手前位置（実線で図示）と、右方向に縮むことでダクト４の一端部４１が右方向に伸びて取付部３の右側に位置した取付部右側位置（二点鎖線で図示）とに、ダクト４の一端部４１を可動させるように構成している。【選択図】　　図２
2004017837.tif 000002
【特許請求の範囲】
【請求項１】
外面に吹出グリルが挿入される吹出口が形成されたインストルメントパネル本体と、このインストルメントパネル本体の内側に前記吹出口から車体へ取り付け可能に設けられた取付部と、前記インストルメントパネル本体の内側に一端部を前記取付部の近傍に配置して前記インストルメントパネル本体の左右方向に延設されたダクトとを備えたインストルメントパネルにおいて、
前記ダクトの前記一端部を、前記取付部の手前で先端が前記吹出口に向かって位置する取付部手前位置と、前記取付部の手前以外に位置する取付部手前以外位置とに可動させる可動手段を前記インストルメントパネルに設けたことを特徴とするインストルメントパネル。
【請求項２】
前記可動手段は、前記ダクトの前記取付部近傍で前記ダクトの長手方向に蛇腹状に形成した蛇腹部から構成したことを特徴とする請求項１記載のインストルメントパネル。
【発明の詳細な説明】
【０００１】
【発明の属する技術分野】
本発明は、車両のインストルメントパネルに関する。
【０００２】
【従来の技術】
従来、車両のインストルメントパネルには、例えば図４や図５に示すように内側にダクト１０１が設けられたインストルメントパネル１１０が知られている。
【０００３】
このインストルメントパネル１１０は、予め図外の複数箇所でステアリングメンバ１２０に取り付けられると共に外面１１１に吹出グリル１１２が挿入される吹出口１１３が形成されたインストルメントパネル本体１１４と、インストルメントパネル本体１１４の内側に作業穴１１４ａから工具を挿入してステアリングメンバ１２０を車体ブラケット１３１へ取り付け可能に設けられたステアリングメンバ１２０の取付部１１５と、インストルメントパネル本体１１４の内側に一端部１０２を取付部１１５の右側に配置して取付部１１５よりも後側でインストルメントパネル本体１１４の左右方向Ｘに延設されたダクト１０１とを備えている。
【０００４】
ダクト１０１の一端部１０２は、ダクト１０１をステアリングメンバ１２０の取付部１１５後方の上方から取付部１１５の右側へ下方に屈曲させて構成されており、先端１０３がインストルメントパネル１１０の吹出口１１３に向けられている。
【０００５】
このインストルメントパネル１１０を車体１３０に組み付ける際には、作業穴１１４ａから工具を挿入して、ステアリングメンバ１２０を取付部１１５に設けられた取付部材１１５ａを介してボルト１１６でナット１３１ａが溶接された車体ブラケット１３１に締め付けると共にステアリングメンバ１２０の両端部を図示しないブラケットを介して車体１３０に固定し、遮蔽蓋１１７で作業穴１１４ａを遮蔽した後に、吹出口１１３に吹出グリル１１２を挿入してダクト１０１の一端部１０２に接続している。
【０００６】
このように、このインストルメントパネル１１０では、ダクト１０１の一端部１０２をステアリングメンバ１２０の取付部１１５の右側に設けたことにより、ダクト１０１に邪魔されずに車体１３０へ組み付けることが可能となっている。
【０００７】
また、図６や図７に示すようなインストルメントパネル２１０も知られている。このインストルメントパネル２１０は、予め図外の複数箇所でステアリングメンバ２２０に取り付けられると共に外面２１１に吹出グリル２１２が挿入される吹出口２１３が形成されたインストルメントパネル本体２１４と、インストルメントパネル本体２１４の内側に吹出口２１３から工具を挿入してステアリングメンバ２２０を車体ブラケット２３１へ取り付け可能に設けられたステアリングメンバ２２０の取付部２１５と、インストルメントパネル本体２１４の内側に一端部３０２を取付部２１５の近傍に配置して取付部２１５よりも後側でインストルメントパネル本体２１４の左右方向Ｘに延設されたダクト３０１とを備えている。
【０００８】
このインストルメントパネル２１０ではダクト３０１の一端部３０２が、ステアリングメンバ２２０の取付部２１５の右側で着脱可能な二つのダクトに分割されており、取付部２１５後方の上方から取付部２１５の右側に下方へ屈曲した第一のダクト３０３と、第一のダクト３０３に一端３０５が接続して取付部２１５の右側から前方へ屈曲し、他端３０６がインストルメントパネル２１０の吹出口２１３へ向けられた第二のダクト３０４とから構成されている。
【０００９】
このインストルメントパネル２１０を車体２３０に組み付ける際には、第二のダクト３０４を第一のダクト３０３から外して、吹出口２１３から工具を挿入してステアリングメンバ２２０を取付部２１５に設けられた取付部材２１５ａを介してボルト２１６でナット２３１ａが溶接された車体ブラケット２３１に締め付けると共にステアリングメンバ２２０の両端部を図示しないブラケットを介して車体２３０に固定する。そして第二のダクト３０４を第一のダクト３０３に接続した後、吹出口２１３に吹出グリル２１２を挿入して第二のダクト３０４に接続している。
【００１０】
このように、このインストルメントパネル２１０では、インストルメントパネル本体２１４を車体２３０に取り付けるときに第二のダクト３０４を外してダクト３０１の一端部３０２を取付部２１５の手前に位置しないようにしたことにより、ダクトに邪魔されずに車体２３０に組み付けることが可能となっている。
【００１１】
【発明が解決しようとする課題】
しかしながら、図４および図５で示したインストルメントパネル１１０においては、ダクト１０１の一端部１０２を取付部１１５の右側に設けたことにより一端部１０２の先端１０３位置が固定される。このため、吹出口１１３の設置範囲が限定されてしまうので、吹出口１１３の設計自由度が小さくなっていた。
【００１２】
一方、図６および図７で示したインストルメントパネル２１０においては、ダクト３０１の一端部３０２を取付部２１５の右側で二つのダクト３０３、３０４に分割したことにより一端部３０２の先端３０６位置が取付部２１５の位置に影響されないので範囲が広がる。したがって、吹出口２１３の設置範囲が広がるため、吹出口２１３の設計自由度が大きくなっている。
【００１３】
しかしながら、このインストルメントパネル２１０においては、ダクト３０１の一端部３０２を二つのダクト３０３、３０４に分割したことより前述したインストルメントパネル１１０に比べて部品点数が増加するため、コストが上がってしまう問題があった。
【００１４】
さらに、インストルメントパネル２１０の車体組付時において、ダクト３０１の一端部３０２に吹出グリル２１２を接続する際には、第二のダクト３０４を直視しにくい状態にあるインストルメントパネル本体２１４内の第一のダクト３０３に接続するため、ダクト３０１と吹出グリル２１２との接続作業に多くの時間を費やしてしまい、組付時の作業性が良くなかった。
【００１５】
本発明は、かかる従来の課題に鑑みてなされたものであり、コストの上昇を抑えながら吹出口の設計自由度を大きくするとともに車体組付時の作業性を向上させることができるインストルメントパネルを提供することを目的とする。
【００１６】
【課題を解決するための手段】
前記課題を解決するために本発明の請求項１記載のインストルメントパネルでは、外面に吹出グリルが挿入される吹出口が形成されたインストルメントパネル本体と、このインストルメントパネル本体の内側に前記吹出口から車体へ取り付け可能に設けられた取付部と、前記インストルメントパネル本体の内側に一端部を前記取付部の近傍に配置して前記インストルメントパネル本体の左右方向に延設されたダクトとを備えたインストルメントパネルにおいて、前記ダクトの前記一端部を、前記取付部の手前で先端が前記吹出口に向かって位置する取付部手前位置と、前記取付部の手前以外に位置する取付部手前以外位置とに可動させる可動手段を前記インストルメントパネルに設けたものとしている。
【００１７】
かかる構成においては、可動手段によりダクトの一端部の先端位置が自由に変えられるため、一端部の先端と対応する吹出口の設置範囲を部品点数を抑えながら広げることが可能になる。
【００１８】
また、ダクトの一端部を可動手段により取付部手前位置に配置するだけで一端部の先端が吹出口に向くため、吹出口から挿入した吹出グリルとの接続作業を短時間で行うことが可能になる。
【００１９】
また、請求項２記載のインストルメントパネルにおいては、前記可動手段は、前記ダクトの前記取付部近傍で前記ダクトの長手方向に蛇腹状に形成した蛇腹部から構成したものとしている。
【００２０】
かかる構成においては、ダクトに形成した蛇腹部が伸縮することによりダクトの一端部が取付部手前位置と取付部手前以外位置とに可動される。
【００２１】
【発明の実施の形態】
以下、本発明の一実施の形態を図にしたがって説明する。
【００２２】
図１は本発明の一実施の形態を示すインストルメントパネル１の右側上面図、図２はインストルメントパネル１を車体１０に組み付けた状態での要部横断面図、図３は要部斜視図である。このインストルメントパネル１は、予め図外の複数箇所でステアリングメンバ２０に取り付けられたインストルメントパネル本体２と、インストルメントパネル本体２の内側に設けられ、ステアリングメンバ２０を車体ブラケット１３へ取り付けるステアリングメンバ２０の取付部３と、インストルメントパネル本体２の内側に設けられたダクト４とを備えている。
【００２３】
インストルメントパネル本体２において外面２１の右側下部には、車室内Ｉへ空調空気を吹き出す吹出グリル５が挿入される吹出口２２が形成されており、取付部３はこの吹出口２２から工具を挿入してステアリングメンバ２０を車体ブラケット１３へ取り付け可能に設けられている。
【００２４】
また、取付部３は、車体１０を構成するダッシュパネル１１のダッシュアッパー１２に設けられた車体ブラケット１３に取り付けられており、ステアリングメンバ２０の取付部材３１と、取付部材３１をナット１３ａが溶接された車体ブラケット１３に締め付けるボルト３２とを備えている。
【００２５】
また、ダクト４は、インストルメントパネル本体２の内側に一端部４１を取付部３の近傍に配置して取付部３よりも後側でインストルメントパネル本体２の左右方向Ｘに延設されており、ダクト４の他端部は図外の空調装置に接続されている。
【００２６】
ダクト４の一端部４１は図２中の二点鎖線で示すようにダクト４を取付部３の後方の上方から取付部３の右側に下方へ屈曲させて構成されており、一端部４１において取付部３の後側には本発明の可動手段である蛇腹部６が形成されている。
【００２７】
この蛇腹部６は、ダクト４の一端部４１の左側部４２において取付部３の後側に設けられた屈曲部４３を基点としてダクト４の長手方向４Ａに蛇腹状に形成されている。
【００２８】
これにより蛇腹部６は、左方向へ伸ばされることでダクト４の一端部４１が左方向に屈曲して取付部３を覆うとともに、取付部３の手前で一端部４１の先端４４が吹出口２２に向かって位置する取付部手前位置（実線で図示）と、右方向に縮むことでダクト４の一端部４１が右方向に伸びて取付部３の右側に位置した取付部手前以外位置である取付部右側位置（二点鎖線で図示）とに、ダクト４の一端部４１を可動させるように構成している。
【００２９】
かかる構成においてインストルメントパネル１を車体１０に組み付けるには、まずダクト４の一端部４１を蛇腹部６を縮ませて右方向に伸ばして取付部右側位置に配置する。
【００３０】
次に、インストルメントパネル本体２が取り付けられているステアリングメンバ２０に設けられた取付部材３１をダッシュアッパー１２に立設された車体ブラケット１３に当てながら吹出口２２から工具を挿入して、取付部３のボルト３２で取付部材３１をナット１３ａが溶接された車体ブラケット１３に締め付ける。
【００３１】
この時、ダクト４の下方曲屈部の左側外面４５は取付部材３１のフランジ部とは左右方向Ｘに寸法Ｌ隔離されているため、吹出口２２から挿入した工具によって容易に締め付けることができる。
【００３２】
次に、吹出口２２からインストルメントパネル本体２内に手を入れて、ダクト４の蛇腹部６を伸ばして一端部４１を左方向に屈曲させて取付部手前位置に配置した後、吹出口２２から吹出グリル５を挿入してダクト４の一端部４１に接続する。
【００３３】
このように、本実施の形態のインストルメントパネル１においては、ダクト４の一端部４１を蛇腹部６により取付部手前位置に配置するだけで一端部４１の先端４４が吹出口２２に向くため、吹出口２２に挿入した吹出グリル５との接続作業を短時間で行うことが可能となる。よって、車体組付時の作業性を向上させることができる。
【００３４】
また、蛇腹部６を伸縮させることによってダクト４の一端部４１の先端４４位置が自由に変えられる。このため、一端部４１の先端４４と対応する吹出口２２の設置範囲を部品点数を抑えながら広げることが可能になる。よって、コストの上昇を抑えながら吹出口２２の設計自由度を大きくすることができる。
【００３５】
また、蛇腹部６によりダクト４の一端部４１の先端４４を任意に取付部３の手前に配置させることが可能となったことにより、本実施の形態のように取付部３と吹出口２２とをインストルメントパネル本体２の前後方向Ｙで重なるように設定することが可能となる。よって、取付部３の車体１０への取付作業を容易に行うことができ、車体組付時の作業性をさらに向上させることができる。
【００３６】
また、可動手段として別部材をインストルメントパネル１に設けなくてもダクト４に蛇腹部６を形成すれば前述した効果が得られるので、可動手段の設定に伴うコストの上昇を抑えることができる。
【００３７】
なお、本実施の形態では可動手段としてダクト４に蛇腹部６を形成したが、可動手段はこの蛇腹部６に限定されることはなく、例えばダクトの一端部を長手方向に二つのダクトに分割し、ダクトの他端側のダクトに一端側のダクトを左右方向に回動可能に接続するようにしても良い。
【００３８】
【発明の効果】
以上説明したように本発明の請求項１記載のインストルメントパネルにおいては、可動手段を利用することによりダクトの一端部の先端位置が自由に変えられるため、一端部の先端と対応する吹出口の設置範囲を部品点数を抑えながら広げることが可能になる。よって、コストの上昇を抑えながら吹出口の設計自由度を大きくすることができる。
【００３９】
また、ダクトの一端部を可動手段により取付部手前位置に配置するだけで一端部の先端が吹出口に向くため、吹出口から挿入した吹出グリルとの接続作業を短時間で行うことが可能になる。よって、インストルメントパネルを車体に組付ける時の作業性を向上させることができる。
【００４０】
また、請求項２記載のインストルメントパネルおいては、ダクトに形成した蛇腹部が伸縮することによりダクトの一端部が取付部手前位置と取付部手前以外位置とに可動される。よって、可動手段として別部材をインストルメントパネルに設けなくてもダクトに蛇腹部を形成すれば請求項１の効果が得られるので、可動手段の設定に伴うコストの上昇を抑えることができる。
【図面の簡単な説明】
【図１】本発明の一実施の形態を示すインストルメントパネルの右側上面図である。
【図２】インストルメントパネルを車体に組み付けた状態での要部横断面図である。
【図３】要部斜視図である。
【図４】従来のインストルメントパネルの要部横断面図である。
【図５】要部右側面図である。
【図６】別の従来のインストルメントパネルの要部横断面図である。
【図７】要部斜視図である。
【符号の説明】
１　　インストルメントパネル
２　　インストルメントパネル本体
３　　取付部
４　　ダクト
５　　吹出グリル
６　　蛇腹部
１０　　車体
１１　　ダッシュパネル
１２　　ダッシュアッパー
１３　　車体ブラケット
１３ａ　ナット
２０　　ステアリングメンバ
２１　　外面
２２　　吹出口
３１　　取付部材
４１　　一端部
４４　　先端
４５　　左側外面
Ｘ　　左右方向
Ｙ　　前後方向
【図１】
2004017837.tif 000003
【図２】
2004017837.tif 000004
【図３】
2004017837.tif 000005
【図４】
2004017837.tif 000006
【図５】
2004017837.tif 000007
【図６】
2004017837.tif 000008
【図７】
2004017837.tif 000009